(57)【要約】【課題】簡易な構成で、温度制御に優れた回転駆動体温度制御装置を提供する。【解決手段】感光体温度制御装置５０は、温度制御部５１と、温度制御部５１に対して回転可能に設けられた感光体３５ａとを備える。温度制御部５１は、感光体３５ａの外部に設けられ、感光体３５ａへ供給する電圧の供給方式を変更することによって、感光体３５ａの温度が所定の設定温度となるよう制御する制御手段を有し、感光体３５ａは、その内部に設けられ電圧の供給方式を判断することによって、所定の設定温度を変更する設定温度変更部５７と、感光体３５ａに電圧を供給する２本の電極５３とを含む。【選択図】図４
2009053361.tif 000002
【特許請求の範囲】
【請求項１】
温度制御部と、前記温度制御部に対して回転可能に設けられた回転駆動体とを備える回転駆動体温度制御装置であって、
前記温度制御部は、前記回転駆動体の外部に設けられ、前記回転駆動体へ供給する電圧の供給方式を変更することによって、前記回転駆動体の温度が所定の設定温度となるよう制御する制御手段を有し、
前記回転駆動体は、その内部に設けられ前記電圧の供給方式を判断することによって、前記所定の設定温度を変更する設定温度変更部と、前記回転駆動体に電圧を供給する２本の電極とを含む、回転駆動体温度制御装置。
【請求項２】
前記設定温度変更部は、前記電圧の供給方式が、一定方式であるかパルス方式であるかによって、前記所定の設定温度を変更する、請求項１に記載の回転駆動体温度制御装置。
【請求項３】
前記設定温度変更部は、供給される電圧のパルスデューティ比に応じて、前記所定の設定温度を変更する、請求項１または２に記載の回転駆動体温度制御装置。
【請求項４】
前記設定温度変更部は、前記温度制御部からのシリアル通信データに応じて、前記所定の設定温度を変更する、請求項１〜３のいずれかに記載の回転駆動体温度制御装置。
【請求項５】
前記回転駆動体の外部に設けられ、前記温度制御部からの制御に応じた前記電圧の供給方式で電圧を供給する電圧供給部を備える、請求項１〜４のいずれかに記載の回転駆動体温度制御装置。
【請求項６】
前記回転駆動体は、
その内部に設けられ前記回転駆動体を熱するヒータと、
その内部に設けられ前記回転駆動体の温度を検知する温度センサとを含む、請求項１〜５のいずれかに記載の回転駆動体温度制御装置。
【請求項７】
前記回転駆動体は、感光体である、請求項１〜６のいずれかに記載の回転駆動体温度制御装置。
【請求項８】
請求項１〜７のいずれかに記載の回転駆動体温度制御装置を含む、画像形成装置。
【発明の詳細な説明】
【技術分野】
【０００１】
この発明は、回転駆動体温度制御装置および画像形成装置に関し、特に画像形成装置に備えられる感光体のような回転駆動体の温度を制御可能な回転駆動体温度制御装置およびこのような回転駆動体温度制御装置を含む画像形成装置に関するものである。
【背景技術】
【０００２】
画像形成装置に備えられる感光体は、静電潜像を形成する際に、帯電部によって所定の電位まで帯電される。帯電部によって帯電される感光体の電位は、感光体の温度に影響を受けるため、感光体の温度が変化すると感光体の電位が変化する恐れがある。そうすると、画像形成時において、画像流れのような不具合が生じてしまうことになる。したがって、画像形成装置には、感光体などの回転駆動体の温度を制御する回転駆動体温度制御装置が設けられている。
【０００３】
画像形成装置が設置される環境は様々である。したがって、画像の形成は、外部からの温度変化に基づいて、制御されることが好ましい。外部からの温度変化に基づいて制御されるとは、特開平１−１１３７６８号公報（特許文献１）に開示されている技術のように、回転駆動体温度制御装置によって制御される感光体の温度に加え、定着装置の温度、および室温の変化などに基づいて制御されるということである。
【特許文献１】特開平１−１１３７６８号公報
【発明の開示】
【発明が解決しようとする課題】
【０００４】
ここで、外部からの温度変化に基づいて、画像の形成を制御するには、感光体の温度を複数の設定温度で制御できることが好ましい。この場合、感光体の温度を複数の設定温度で制御しようとすると、電圧を供給するための電極の数の増加等、感光体内部の構成が複雑になってしまう恐れがある。
【０００５】
この発明の目的は、簡易な構成で、温度制御に優れた回転駆動体温度制御装置を提供することである。
【０００６】
この発明の他の目的は、より良好な画像を形成することができる画像形成装置を提供することである。
【課題を解決するための手段】
【０００７】
この発明に係る回転駆動体温度制御装置は、温度制御部と、温度制御部に対して回転可能に設けられた回転駆動体とを備える。温度制御部は、回転駆動体の外部に設けられ、回転駆動体へ供給する電圧の供給方式を変更することによって、回転駆動体の温度が所定の設定温度となるよう制御する制御手段を有し、回転駆動体は、その内部に設けられ電圧の供給方式を判断することによって、所定の設定温度を変更する設定温度変更部と、回転駆動体に電圧を供給する２本の電極とを含む。
【０００８】
好ましくは、設定温度変更部は、電圧の供給方式が、一定方式であるかパルス方式であるかによって、所定の設定温度を変更する。
【０００９】
さらに好ましくは、設定温度変更部は、供給される電圧のパルスデューティ比に応じて、所定の設定温度を変更する。
【００１０】
さらに好ましくは、設定温度変更部は、温度制御部からのシリアル通信データに応じて、所定の設定温度を変更する。
【００１１】
さらに好ましくは、回転駆動体の外部に設けられ、温度制御部からの制御に応じた電圧の供給方式で電圧を供給する電圧供給部を備える。
【００１２】
さらに好ましくは、回転駆動体は、その内部に設けられ回転駆動体を熱するヒータと、その内部に設けられ回転駆動体の温度を検知する温度センサとを含む。
【００１３】
さらに好ましくは、上記した回転駆動体は、感光体である。
【００１４】
この発明の他の局面においては、画像形成装置は、上記したいずれかの回転駆動体温度制御装置を含む。
【発明の効果】
【００１５】
この発明によると、温度制御部からの制御に応じて供給される電圧の供給方式を判断することにより、回転駆動体の設定温度を変更する。この場合、回転駆動体へ電圧を供給する電極は、２本であるため、簡易な構成とすることができる。また、電圧の供給方式を判断するのみで、回転駆動体の設定温度を変更することができる。また、回転駆動体の設定温度を変更できるため、回転駆動体の設定温度を、外部からの温度変化に基づいて変更することができる。したがって、簡易な構成で、回転駆動体の温度制御を適切に行うことができる。
【００１６】
また、このような回転駆動体温度制御装置を備える画像形成装置は、回転駆動体の温度制御を適切に行えるため、より良好な画像を形成することができる。
【発明を実施するための最良の形態】
【００１７】
以下、この発明の実施の形態を図面を参照して説明する。図１は、この発明の一実施形態に係る画像形成装置を、デジタル複合機１０に適用した場合のデジタル複合機１０の構成を示すブロック図である。図１を参照して、デジタル複合機１０は、デジタル複合機１０全体を制御する制御部１１と、画像データ等の書き込みや読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置でスキャナで読取る画像読取り部１５と、画像読取り部１５で読取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１８】
制御部１１は、画像読取り部１５から与えられる原稿データをＤＲＡＭ１２に圧縮符号化して書き込み、ＤＲＡＭ１２に書き込んだデータを読出し、伸張復号化して画像形成部１６により出力する。
【００１９】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、さらに詳細に設定可能な機能を有する。
【００２０】
なお、図１において、太線の矢印は画像データの流れを示しており、細線の矢印は制御信号または制御データの流れを示している。
【００２１】
ここで、画像形成部１６の具体的な構成について説明する。図２は、デジタル複合機１０に備えられる画像形成部１６の一部を示す概略図である。図２において、実線の矢印は用紙４０の流れを示しており、点線の矢印は転写ベルト３７の回転方向を示している。図３は、画像形成部１６に備えられるイエローの現像器４２ａを示す模式図である。図１〜図３を参照して、画像形成部１６は、イエローの現像器４２ａと、マゼンタの現像器４２ｂと、シアンの現像器４２ｃと、ブラックの現像器４２ｄとを備える。イエローの現像器４２ａは、感光体３５ａと、帯電部３１ａと、露光部３２ａと、現像部３３ａとを備える。帯電部３１ａは、感光体３５ａに電圧を印加して感光体３５ａの表面を所定の電位に帯電させる。露光部３２ａは、帯電部３１ａにより帯電された感光体３５ａの表面に、画像読取り部１５で読み取られた原稿を基に形成されたイエローの光像を露光する。そうすると、感光体３５ａの表面には、静電潜像が形成される。現像部３３ａは、感光体３５ａの表面に形成された静電潜像にイエローのトナーを付着させ、イエローのトナー像を形成する。現像器４２ｂ、現像器４２ｃ、現像器４２ｄについても現像器４２ａと同様に各色のトナー像が形成される。形成された各色のトナー像は、位置ずれが起きないように、図２中の点線の矢印で示す方向に回転している転写ベルト３７上に、イエロー、マゼンタ、シアン、ブラックの順に重ね合わせて一次転写される。このようにして、イエロー、マゼンタ、シアン、ブラックにより構成されるフルカラー画像が転写ベルト３７上に形成される。転写ベルト３７上に転写されたフルカラー画像は、用紙４０へ転写ローラ３８によって二次転写される。その後、用紙４０上に転写されたフルカラー画像は、定着ローラ３９により定着される。このようにして、用紙４０にフルカラー画像を形成する。
【００２２】
上記した回転駆動体としての感光体３５ａの温度は、感光体温度制御装置によって制御されている。ここで、感光体温度制御装置の具体的な構成について説明する。図４は、感光体温度制御装置５０の物理的構成を示すブロック図である。なお、図４において、太線は、電源線を示しており、点線は、温度制御部５１からの制御信号を示している。
【００２３】
図３および図４を参照して、感光体温度制御装置５０は、温度制御部５１と、温度制御部５１に対して回転可能に設けられた感光体３５ａとを備える。感光体３５ａは、感光体３５ａを熱するヒータ３４ａと、感光体３５ａの温度を検知する温度センサ３６ａと、感光体３５ａに電圧を供給する電極５３と、所定の設定温度を変更する設定温度変更部５７とを含む。また、感光体温度制御装置５０は、温度制御部５１からの制御に応じた電圧を供給する電圧供給部５２を備える。ヒータ３４ａは、筒状の感光体３５ａの中心部分に設けられ、感光体３５ａを加熱する。温度センサ３６ａは、感光体３５ａの内周面に設けられ、感光体３５ａの温度を検知する。電極５３は、２本で構成されており、電圧供給部５２と設定温度変更部５７とを接続する。電極５３は、設定温度変更部５７を介して、電圧供給部５２からの電圧を、感光体３５ａに供給する。
【００２４】
温度制御部５１は、制御部１１に備えられ、感光体３５ａの外部に設けられる。温度制御部５１は、電圧供給部５２に温度制御用の制御信号を送信して、感光体３５ａの温度が所定の設定温度となるよう制御する。ここで、所定の設定温度とは、例えば、第１の設定温度と、第１の設定温度とは異なる温度である第２の設定温度と、２段階で設定される温度である。また、温度制御部５１は、電圧供給部５２にシリアル通信データを送信する。シリアル通信データには、所定の設定温度を示すデータが含まれている。
【００２５】
電圧供給部５２は、感光体３５ａの外部に設けられ、温度制御部５１からの制御信号に応じた電圧を感光体３５ａに供給する。すなわち、電圧供給部５２は、温度制御部５１からの制御信号に応じた電圧の供給方式で、電圧を供給する。電圧の供給方式とは、一定電圧を供給する一定方式または、パルス電圧を供給するパルス方式または、供給するパルス電圧のパルスデューティ比を変更する方式または、シリアル通信データを送信する方式等である。
【００２６】
設定温度変更部５７は、感光体３５ａの内部に設けられる。また、設定温度変更部５７は、電圧供給部５２から供給された電圧の供給方式を判断することにより、所定の設定温度を変更する。すなわち、設定温度変更部５７は、電圧供給部５２から供給された電圧の供給方式が、一定方式であるかパルス方式であるか等を判断する。その判断に基づいて、感光体３５ａの設定温度を変更する。
【００２７】
ここで、デジタル複合機１０を利用して、感光体３５ａの設定温度を変更する場合について説明する。図５は、感光体３５ａの設定温度を変更する場合を示すフローチャートである。図６は、供給電圧と時間との関係を示すグラフである。まず、電圧供給部５２より、一定電圧またはパルス電圧を供給して、感光体３５ａの設定温度を変更する場合について説明する。ここでは、設定温度変更部５７には、ワンショットタイマが設けられている。
【００２８】
図１〜図６を参照して、まず、デジタル複合機１０の電源が投入されると、温度制御部５１は、外気温や定着温度等から感光体３５ａの設定温度を決定する。ここでは、感光体３５ａの設定温度を第１の設定温度と決定する。そして、温度制御部５１は、感光体３５ａが第１の設定温度となるように、電圧の供給方式を決定し、制御信号を電圧供給部５２へ送信する。そうすると、電圧供給部５２は、一定電圧２４Ｖを感光体３５ａへ供給する。設定温度変更部５７は、時間Ｔ０から時間Ｔ１まで、供給された電圧を検知する（図５において、ステップＳ１１、以下ステップを省略する）。
【００２９】
時間Ｔ１に達すると、設定温度変更部５７は、時間Ｔ０から時間Ｔ１までに供給された電圧は一定であるか否か、すなわち、所定時間内に一度も０Ｖになっていないかを判断する（Ｓ１２）。この場合、供給された電圧は、一定であるため（Ｓ１２において、ＹＥＳ）、設定温度変更部５７は、感光体３５ａの設定温度を第１の設定温度に設定する（Ｓ１３）。ここで、感光体３５ａの温度制御は、２本の電極５３から供給される電圧を、温度センサ３６ａまたはヒータ３４ａに切り替えることによって、ヒータ３４ａが感光体３５ａを加熱し、温度センサ３６ａが感光体３５ａの温度を検知して、感光体３５ａの温度が第１の設定温度となるよう制御する（Ｓ１４）。
【００３０】
さらに、設定温度変更部５７は、時間Ｔ１から、供給された電圧を検知する（Ｓ１１）。ここで、時間Ｔ２において、温度制御部５１は、感光体３５ａの温度を第２の設定温度となるように、制御信号を電圧供給部５２へ送信する。そうすると、電圧供給部５２は、パルス電圧を感光体３５ａへ供給する。設定温度変更部５７は、パルス電圧を検知して、ワンショットタイマを作動させる。そして、設定温度変更部５７は、時間Ｔ２から時間Ｔ３まで、ワンショットタイマで指定された時間、パルス電圧を検知する。
【００３１】
時間Ｔ３に達すると、設定温度変更部５７は、供給された電圧が一定であるか否かを判断する（Ｓ１２）。この場合、供給された電圧は、パルス電圧であるため（Ｓ１２において、ＮＯ）、設定温度変更部５７は、感光体３５ａの設定温度を第２の設定温度に設定する（Ｓ１５）。ここで、感光体３５ａの温度制御は、２本の電極５３から供給される電圧を、温度センサ３６ａまたはヒータ３４ａに切り替えることによって、ヒータ３４ａが感光体３５ａを加熱し、温度センサ３６ａが感光体３５ａの温度を検知して、感光体３５ａの温度が第２の設定温度となるよう制御する（Ｓ１４）。
【００３２】
このように、温度制御部５１からの制御に応じて供給される電圧の供給方式を判断することにより、感光体３５ａの設定温度を変更する。この場合、感光体３５ａへ電圧を供給する電極５３は、２本であるため、簡易な構成とすることができる。また、電圧の供給方式を判断するのみで、感光体３５ａの設定温度を変更することができる。また、感光体３５ａの設定温度を変更できるため、感光体３５ａの設定温度を、外部からの温度変化に基づいて変更することができる。したがって、簡易な構成で、感光体３５ａの温度制御を適切に行うことができる。
【００３３】
また、電圧供給部５２により、温度制御部５１からの制御に応じた電圧の供給方式で電圧を供給することができる。
【００３４】
また、ヒータ３４ａおよび温度センサ３６ａを感光体３５ａ内部に設けることにより、ヒータ３４ａによって感光体３５ａを加熱し、温度センサ３６ａによって感光体３５ａの温度を検知して、感光体３５ａの温度を、設定温度変更部５７によって変更された設定温度にすることができる。
【００３５】
また、感光体３５ａは、設定温度を変更して制御することができるため、良好な画像を形成することができる。
【００３６】
また、このような感光体温度制御装置５０を含む、デジタル複合機１０は、感光体３５ａの温度制御を適切に行えるため、より良好な画像を形成することができる。
【００３７】
次に、電圧供給部５２より、供給するパルス電圧のパルスデューティ比を変更して、感光体３５ａの設定温度を変更する場合について説明する。図７は、感光体３５ａの設定温度を変更する場合を示すフローチャートである。図８は、供給電圧と時間との関係を示すグラフである。
【００３８】
図１〜図４および図７〜図８を参照して、まず、デジタル複合機１０の電源が投入されると、温度制御部５１は、外気温や定着温度等から感光体３５ａの設定温度を決定する。ここでは、感光体３５ａの設定温度を第１の設定温度と決定する。そして、温度制御部５１は、感光体３５ａが第１の設定温度となるように、電圧の供給方式を決定し、制御信号を電圧供給部５２へ送信する。そうすると、電圧供給部５２は、２５％のパルスデューティ比のパルス電圧を感光体３５ａへ供給する。設定温度変更部５７は、時間Ｔ０から時間Ｔ１まで、供給された電圧を検知する（Ｓ２１）。ここで、パルスデューティ比とは、図８に示すパルス幅Ａを、パルス周期Ｂで割った値である。したがって、時間Ｔ０から時間Ｔ２においては、パルス３周期分を示す。
【００３９】
時間Ｔ１に達すると、設定温度変更部５７は、時間Ｔ０から時間Ｔ１までに供給された電圧が２５％のパルスデューティ比のパルス電圧であるか否かを判断する（Ｓ２２）。すなわち、供給された２５％のパルスデューティ比のパルス電圧を平滑化し、２５％のパルスデューティ比に依存したアナログ電位を発生させ、発生させたアナログ電位によって判断する。この場合、供給された電圧は、２５％のパルスデューティ比のパルス電圧であるため（Ｓ２２において、ＹＥＳ）、設定温度変更部５７は、感光体３５ａの設定温度を第１の設定温度に設定する（Ｓ２３）。ここで、感光体３５ａの温度制御は、２本の電極５３から供給される電圧を、温度センサ３６ａまたはヒータ３４ａに切り替えることによって、感光体３５ａの温度が第１の設定温度となるよう制御する（Ｓ２４）。
【００４０】
さらに、設定温度変更部５７は、時間Ｔ１から時間Ｔ３まで、供給された電圧を検知する（Ｓ２１）。ここで、時間Ｔ２において、温度制御部５１は、感光体３５ａの温度を第２の設定温度となるように、制御信号を電圧供給部５２へ送信する。そうすると、電圧供給部５２は、上記した所定のパルスデューティ比とは異なるパルスデューティ比のパルス電圧、ここでは５０％のパルスデューティ比のパルス電圧を、感光体３５ａへ供給する。
【００４１】
時間Ｔ３に達すると、設定温度変更部５７は、供給された電圧が上記した２５％のパルスデューティ比のパルス電圧とは異なるパルスデューティ比のパルス電圧であるか否かを判断する（Ｓ２２）。この場合、供給された電圧は、２５％のパルスデューティ比とは異なる、５０％のパルスデューティ比のパルス電圧であるため（Ｓ２２において、ＹＥＳ）、設定温度変更部５７は、感光体３５ａの設定温度を第２の設定温度に設定する（Ｓ２３）。ここで、感光体３５ａの温度制御は、２本の電極５３から供給される電圧を、温度センサ３６ａまたはヒータ３４ａに切り替えることによって、感光体３５ａの温度が第２の設定温度となるよう制御する（Ｓ２４）。
【００４２】
さらに、設定温度変更部５７は、時間Ｔ３から時間Ｔ５まで、供給された電圧を検知する（Ｓ２１）。ここで、時間Ｔ４において、温度制御部５１は、感光体３５ａの温度を第３の設定温度となるように、制御信号を電圧供給部５２へ送信する。そうすると、電圧供給部５２は、上記した所定のパルスデューティ比とは異なるパルスデューティ比のパルス電圧、ここでは７５％のパルスデューティ比のパルス電圧を、感光体３５ａへ供給する。
【００４３】
時間Ｔ５に達すると、設定温度変更部５７は、供給された電圧が上記した５０％のパルスデューティ比のパルス電圧とは異なるパルスデューティ比のパルス電圧であるか否かを判断する（Ｓ２２）。この場合、供給された電圧は、５０％のパルスデューティ比とは異なる、７５％のパルスデューティ比のパルス電圧であるため（Ｓ２２において、ＹＥＳ）、設定温度変更部５７は、感光体３５ａの設定温度を第３の設定温度に設定する（Ｓ２３）。ここで、感光体３５ａの温度制御は、２本の電極５３から供給される電圧を、温度センサ３６ａまたはヒータ３４ａに切り替えることによって、感光体３５ａの温度が第３の設定温度となるよう制御する（Ｓ１５）。
【００４４】
このように、設定温度変更部５７は、供給される電圧のパルスデューティ比を判断することにより、感光体３５ａの設定温度を多段階に変更することができる。したがって、簡易な構成で、より適切に感光体３５ａの設定温度を変更することができる。
【００４５】
さらに、電圧供給部５２より、一定電圧を供給または、シリアル通信データを送信して、感光体３５ａの設定温度を変更する場合について説明する。ここでは、設定温度変更部５７には、ＣＰＵ（中央処理装置）が設けられている。
【００４６】
図１〜図４および図９を参照して、まず、デジタル複合機１０の電源が投入されると、温度制御部５１は、外気温や定着温度等から感光体３５ａの設定温度を決定する。ここでは、感光体３５ａの設定温度を第１の設定温度と決定する。そして、温度制御部５１は、感光体３５ａが第１の設定温度となるように、電圧の供給方式を決定し、制御信号を電圧供給部５２へ送信する。そうすると、電圧供給部５２は、一定電圧２４Ｖを感光体３５ａへ供給する。設定温度変更部５７は、時間Ｔ０から時間Ｔ１まで、供給された電圧を検知する。
【００４７】
時間Ｔ１に達すると、設定温度変更部５７は、時間Ｔ０から時間Ｔ１までに供給された電圧が一定であるか否か、すなわち、所定時間内に一度も０Ｖになっていないかを判断する。この場合、供給された電圧は、一定であるため、設定温度変更部５７は、感光体３５ａの設定温度を第１の設定温度に設定する。ここで、感光体３５ａの温度制御は、２本の電極５３から供給される電圧を、温度センサ３６ａまたはヒータ３４ａに切り替えることによって、感光体３５ａの温度が第１の設定温度となるよう制御する。
【００４８】
さらに、設定温度変更部５７は、時間Ｔ１から時間Ｔ３まで、供給された電圧を検知する。ここで、時間Ｔ２において、温度制御部５１は、感光体３５ａの温度を第２の設定温度となるように、シリアル通信データを電圧供給部５２へ送信する。そうすると、電圧供給部５２は、シリアル通信データを感光体３５ａへ送信する。
【００４９】
時間Ｔ３に達すると、設定温度変更部５７は、供給された電圧が一定電圧であるか否かを判断する。この場合、供給された電圧は、シリアル通信データであるため、設定温度変更部５７は、ＣＰＵにより、受信したデータの設定温度、すなわち、第２の設定温度である旨を読取り、感光体３５ａの設定温度を設定する。ここで、感光体３５ａの温度制御は、２本の電極５３から供給される電圧を、温度センサ３６ａまたはヒータ３４ａに切り替えることによって、感光体３５ａの温度が第２の設定温度となるよう制御する。
【００５０】
このように、設定温度変更部５７は、温度制御部５１からのシリアル通信データを判断することにより、感光体３５ａの設定温度を変更することができる。したがって、簡易な構成で、感光体３５ａの設定温度を変更することができる。
【００５１】
なお、上記の実施の形態においては、電圧供給部５２を設ける例を説明したが、温度制御部５１が、感光体３５ａの制御に応じて、電圧を供給してもよい。
【００５２】
また、上記の実施の形態においては、温度制御部５１からの制御信号に応じて、パルス電圧等を感光体３５ａへ供給する例を説明したが、これらに限らず、感光体３５ａ内部に設けられた設定温度変更部５７と通信が行えるような電圧や通信データ等であればよい。
【００５３】
また、上記の実施の形態においては、回転駆動体は感光体３５ａとしたが、これに限らず、例えば定着ローラ３９のような、回転駆動体内部に設けられたヒータ３４ａで加熱されるような機器であればよい。
【００５４】
さらに、上記の実施の形態においては、デジタル複合機１０によって、フルカラー画像を形成する場合を説明したが、これに限らず、白黒画像を形成する場合にも適用される。
【００５５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００５６】
【図１】この発明の一実施形態に係る画像形成装置を、デジタル複合機に適用した場合のデジタル複合機の構成を示すブロック図である。
【図２】デジタル複合機に備えられる画像形成部の一部を示す概略図である。
【図３】画像形成部に備えられるイエローの現像器を示す模式図である。
【図４】感光体温度制御装置の物理的構成を示すブロック図である。
【図５】感光体の設定温度を変更する場合を示すフローチャートである。
【図６】供給電圧と時間との関係を示すグラフである。
【図７】感光体の設定温度を変更する場合を示すフローチャートである。
【図８】供給電圧と時間との関係を示すグラフである。
【図９】供給電圧と時間との関係を示すグラフである。
【符号の説明】
【００５７】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、３１ａ  帯電部、３２ａ  露光部、３３ａ  現像部、３４ａ  ヒータ、３５ａ  感光体、３６ａ  温度センサ、３７  転写ベルト、３８  転写ローラ、３９  定着ローラ、４０  用紙、４２ａ，４２ｂ，４２ｃ，４２ｄ  現像器、５０  感光体温度制御装置、５１  温度制御部、５２  電圧供給部、５３  電極、５７  設定温度変更部。
【図１】
2009053361.tif 000003
【図２】
2009053361.tif 000004
【図３】
2009053361.tif 000005
【図４】
2009053361.tif 000006
【図５】
2009053361.tif 000007
【図６】
2009053361.tif 000008
【図７】
2009053361.tif 000009
【図８】
2009053361.tif 000010
【図９】
2009053361.tif 000011